【手続補正書】
【提出日】平成16年9月3日(2004.9.3)
【手続補正１】
【補正対象書類名】明細書
【補正対象項目名】発明の名称
【補正方法】変更
【補正の内容】
【発明の名称】表示タブレット装置
【手続補正２】
【補正対象書類名】明細書
【補正対象項目名】特許請求の範囲
【補正方法】変更
【補正の内容】
【特許請求の範囲】
【請求項１】
位置座標検出用電磁波を発信する位置検出用タブレットと、先端部に電磁波受信用アンテナが設けられたタッチペンと、プログラムが記録された情報記憶媒体を着脱可能に接続するコネクタ部とを有する電子装置とともに使用する表示タブレット装置であって、
前記表示タブレット装置は、前記位置検出用タブレット上に着脱可能に装着される表示タブレットと、前記タッチペン先端部に着脱可能に装着されるキャップとを備え、
前記表示タブレットは、表示パネル面と、磁性粉を移動可能に収納する空間とを備え、前記磁性粉は初期状態において前記空間の底部に位置し、前記表示パネル面側に移動したとき移動状態が保持されるように構成されており、
前記キャップは、先端部に磁石が設けられており、
前記位置検出用タブレット上に前記表示タブレットが装着され、前記タッチパネルの先端部に前記キャップが装着されているとき、前記表示パネル面に前記キャップの先端部を近接して移動させる操作に応じて、前記磁性粉が前記磁石の磁力により前記表示パネル面に移動して当該移動軌跡に沿って保持され、移動状態が保持された磁性粉によって線、文字、図形等が表示されるとともに、前記位置検出用タブレットから発信された位置座標検出用電磁波が前記表示タブレットを介して前記アンテナによって受信され、前記移動軌跡に対応する位置座標情報が検出され、電子装置への操作指示情報として入力されるように構成されてなることを特徴とする表示タブレット装置。
【請求項２】
消去磁界を印加して、前記磁性粉を初期状態に戻して消去する消去手段をさらに有することを特徴とする請求項１記載の表示タブレット装置。
【請求項３】
前記表示タブレットは、前記座標位置検出用タブレットからの電磁波をほぼ均一に減衰することを特徴とする請求項１記載の表示タブレット装置。
【請求項４】
前記磁石は、前記タッチペンの先端部への装着時に前記タッチペンのアンテナを遮蔽しないような位置に設けられていることを特徴とする請求項２または３記載の表示タブレット装置。
【請求項５】
前記磁石は、前記タッチペンの先端部のアンテナを遮蔽しない程度の大きさであることを特徴とする請求項２または３記載の表示タブレット装置。
【請求項６】
位置座標検出用電磁波を発信する位置検出用タブレットと、
前記位置検出用タブレット上に着脱可能に装着される表示タブレットと、
先端部に電磁波受信用アンテナと磁石が設けられたタッチペンと、
プログラムが記録された情報記憶媒体を着脱可能に接続するコネクタ部と、を有し、
前記表示タブレットは、表示パネル面と、磁性粉を移動可能に収納する空間とを備え、前記磁性粉は初期状態において前記空間の底部に位置し、前記表示パネル面側に移動したとき移動状態が保持されるように構成されており、
前記位置検出用タブレット上に前記表示タブレットが装着されているとき、前記表示パネル面に前記タッチペンの先端部を近接して移動させる操作に応じて、前記磁性粉が前記磁石の磁力により前記表示パネル面に移動して当該移動軌跡に沿って保持され、移動状態が保持された磁性粉によって線、文字、図形等が表示されるとともに、前記位置検出用タブレットから発信された位置座標検出用電磁波が前記表示タブレットを介して前記アンテナによって受信され、前記移動軌跡に対応する位置座標情報が検出され、電子装置への操作指示情報として入力されるように構成されてなることを特徴とする電子装置。
【請求項７】
前記タッチペンは、タッチペン本体と、該本体の先端部に装着可能な形状のキャップとによって構成され、前記磁石は前記キャップに設けられていることを特徴とする請求項６記載の電子装置。
【請求項８】
前記磁石は、前記アンテナによる前記電磁波の受信を遮蔽しないような大きさと位置に設けられていることを特徴とする請求項６または７記載の電子装置。
【請求項９】
請求項６記載の電子装置によりモニタ画面に画像を描画する画像描画方法において、前記タッチペンの移動軌跡に応じた前記指示情報に基づいて、前記表示タブレットの表示パネルに描画される図形と実質的に同じ図形を前記モニタ画面に描画することを特徴とする画像描画方法。
【請求項１０】
請求項６記載の電子装置に装着される前記情報記憶媒体であって、前記タッチペンの移動軌跡に応じた指示情報に基づいて、前記表示タブレットに描画される図形と実質的に同じ図形をモニタ画面に描画するプログラムが記憶されていることを特徴とする情報記憶媒体。
【手続補正３】
【補正対象書類名】明細書
【補正対象項目名】０００１
【補正方法】変更
【補正の内容】
【０００１】
【発明の属する技術分野】
本発明は、タブレットにタッチペンを近接することにより、所望の指示情報を入力する電子装置に着脱可能な表示タブレット装置に関する。
【手続補正４】
【補正対象書類名】明細書
【補正対象項目名】０００４
【補正方法】変更
【補正の内容】
【０００４】
本発明の目的は、タブレットにタッチペンを近接して所望の指示情報を入力する電子装置をタッチペンの軌跡を残すようにすることができる表示タブレット装置を提供することにある。
本発明の他の目的は、タブレットにタッチペンを近接して所望の指示情報を入力する電子装置であって、タッチペンの軌跡を残すことができる電子装置を提供することにある。
【手続補正５】
【補正対象書類名】明細書
【補正対象項目名】０００５
【補正方法】変更
【補正の内容】
【０００５】
本発明の更に他の目的は、タブレットにタッチペンを近接して所望の指示情報を入力する電子装置であって、タッチペンの軌跡を残すことができる電子装置に適した画像描画方法を提供することにある。
本発明の更に他の目的は、タブレットにタッチペンを近接して所望の指示情報を入力する電子装置であって、タッチペンの軌跡を残すことができる電子装置に適した情報記憶媒体を提供することにある。
【手続補正６】
【補正対象書類名】明細書
【補正対象項目名】０００６
【補正方法】変更
【補正の内容】
【０００６】
【課題を解決するための手段】
上記目的は、位置座標検出用電磁波を発信する位置検出用タブレットと、先端部に電磁波受信用アンテナが設けられたタッチペンと、プログラムが記録された情報記憶媒体を着脱可能に接続するコネクタ部とを有する電子装置とともに使用する表示タブレット装置であって、前記表示タブレット装置は、前記位置検出用タブレット上に着脱可能に装着される表示タブレットと、前記タッチペン先端部に着脱可能に装着されるキャップとを備え、前記表示タブレットは、表示パネル面と、磁性粉を移動可能に収納する空間とを備え、前記磁性粉は初期状態において前記空間の底部に位置し、前記表示パネル面側に移動したとき移動状態が保持されるように構成されており、前記キャップは、先端部に磁石が設けられており、前記位置検出用タブレット上に前記表示タブレットが装着され、前記タッチパネルの先端部に前記キャップが装着されているとき、前記表示パネル面に前記キャップの先端部を近接して移動させる操作に応じて、前記磁性粉が前記磁石の磁力により前記表示パネル面に移動して当該移動軌跡に沿って保持され、移動状態が保持された磁性粉によって線、文字、図形等が表示されるとともに、前記位置検出用タブレットから発信された位置座標検出用電磁波が前記表示タブレットを介して前記アンテナによって受信され、前記移動軌跡に対応する位置座標情報が検出され、電子装置への操作指示情報として入力されるように構成されてなることを特徴とする表示タブレット装置によって達成される。
【手続補正７】
【補正対象書類名】明細書
【補正対象項目名】０００７
【補正方法】変更
【補正の内容】
【０００７】
上述した表示タブレット装置において、消去磁界を印加して、前記磁性粉を初期状態に戻して消去する消去手段をさらに有するようにしてもよい。
上述した表示タブレット装置において、前記表示タブレットは、前記座標位置検出用タブレットからの電磁波をほぼ均一に減衰するようにしてもよい。
【手続補正８】
【補正対象書類名】明細書
【補正対象項目名】０００８
【補正方法】変更
【補正の内容】
【０００８】
上述した表示タブレット装置において、前記磁石は、前記タッチペンの先端部への装着時に前記タッチペンのアンテナを遮蔽しないような位置に設けられているようにしてもよい。
上述した表示タブレット装置において、前記磁石は、前記タッチペンの先端部のアンテナを遮蔽しない程度の大きさであるようにしてもよい。
【手続補正９】
【補正対象書類名】明細書
【補正対象項目名】０００９
【補正方法】変更
【補正の内容】
【０００９】
上記目的は、位置座標検出用電磁波を発信する位置検出用タブレットと、前記位置検出用タブレット上に着脱可能に装着される表示タブレットと、先端部に電磁波受信用アンテナと磁石が設けられたタッチペンと、プログラムが記録された情報記憶媒体を着脱可能に接続するコネクタ部と、を有し、前記表示タブレットは、表示パネル面と、磁性粉を移動可能に収納する空間とを備え、前記磁性粉は初期状態において前記空間の底部に位置し、前記表示パネル面側に移動したとき移動状態が保持されるように構成されており、前記位置検出用タブレット上に前記表示タブレットが装着されているとき、前記表示パネル面に前記タッチペンの先端部を近接して移動させる操作に応じて、前記磁性粉が前記磁石の磁力により前記表示パネル面に移動して当該移動軌跡に沿って保持され、移動状態が保持された磁性粉によって線、文字、図形等が表示されるとともに、前記位置検出用タブレットから発信された位置座標検出用電磁波が前記表示タブレットを介して前記アンテナによって受信され、前記移動軌跡に対応する位置座標情報が検出され、電子装置への操作指示情報として入力されるように構成されてなることを特徴とする電子装置によって達成される。
上述した電子装置において、前記タッチペンは、タッチペン本体と、該本体の先端部に装着可能な形状のキャップとによって構成され、前記磁石は前記キャップに設けられているようにしてもよい。
上述した電子装置において前記磁石は、前記アンテナによる前記電磁波の受信を遮蔽しないような大きさと位置に設けられているようにしてもよい。
【手続補正１０】
【補正対象書類名】明細書
【補正対象項目名】００１０
【補正方法】変更
【補正の内容】
【００１０】
上記目的は、上述した電子装置によりモニタ画面に画像を描画する画像描画方法において、前記タッチペンの移動軌跡に応じた前記指示情報に基づいて、前記表示タブレットの表示パネルに描画される図形と実質的に同じ図形を前記モニタ画面に描画することを特徴とする画像描画方法によって達成される。
上記目的は、上述した電子装置に装着される情報記憶媒体であって、前記タッチペンの移動軌跡に応じた前記タブレットへの指示情報に基づいて、前記表示タブレットに描画される図形と実質的に同じ図形をモニタ画面に描画するプログラムが記憶されていることを特徴とする情報記憶媒体によって達成される。
【手続補正１１】
【補正対象書類名】明細書
【補正対象項目名】００２６
【補正方法】変更
【補正の内容】
【００２６】
図５（ａ）に示すように、ペン先に磁性体ペン２００が装着されたタッチペン２８が、表示パネル１０２の保護板１１２上をなぞると、液状磁性体１１６がセパレータ１１０上に移動し、タッチペン２８が離れても、そのままの状態で保持される。したがって、表示パネル１０２にタッチペン２８の軌跡が黒色の線として描かれる。
【手続補正１２】
【補正対象書類名】明細書
【補正対象項目名】００４４
【補正方法】変更
【補正の内容】
【００４４】
【発明の効果】
以上の通り、本発明のように、位置座標検出用電磁波を発信する位置検出用タブレットと、先端部に電磁波受信用アンテナが設けられたタッチペンと、プログラムが記録された情報記憶媒体を着脱可能に接続するコネクタ部とを有する電子装置とともに使用する表示タブレット装置であって、表示タブレット装置は、位置検出用タブレット上に着脱可能に装着される表示タブレットと、タッチペン先端部に着脱可能に装着されるキャップとを備え、表示タブレットは、表示パネル面と、磁性粉を移動可能に収納する空間とを備え、磁性粉は初期状態において空間の底部に位置し、表示パネル面側に移動したとき移動状態が保持されるように構成されており、キャップは、先端部に磁石が設けられており、位置検出用タブレット上に表示タブレットが装着され、タッチパネルの先端部にキャップが装着されているとき、表示パネル面にキャップの先端部を近接して移動させる操作に応じて、磁性粉が磁石の磁力により表示パネル面に移動して当該移動軌跡に沿って保持され、移動状態が保持された磁性粉によって線、文字、図形等が表示されるとともに、位置検出用タブレットから発信された位置座標検出用電磁波が表示タブレットを介してアンテナによって受信され、移動軌跡に対応する位置座標情報が検出され、電子装置への操作指示情報として入力されるように構成されているので、タブレットにタッチペンを近接して所望の指示情報を入力する電子装置に対し、タッチペンの軌跡を残すようにすることができる。
【手続補正１３】
【補正対象書類名】明細書
【補正対象項目名】００４５
【補正方法】削除
【補正の内容】
【手続補正１４】
【補正対象書類名】明細書
【補正対象項目名】００４６
【補正方法】変更
【補正の内容】
【００４６】
上述した表示タブレット装置において、キャップ部をタッチペンのペン先に装着した際に、タッチペンのアンテナを遮蔽しないような位置に設けるようにすれば、磁石による電磁波の減衰を最小限にとどめることができる。
また、本発明のように、位置座標検出用電磁波を発信する位置検出用タブレットと、位置検出用タブレット上に着脱可能に装着される表示タブレットと、先端部に電磁波受信用アンテナと磁石が設けられたタッチペンと、プログラムが記録された情報記憶媒体を着脱可能に接続するコネクタ部と、を有し、表示タブレットは、表示パネル面と、磁性粉を移動可能に収納する空間とを備え、磁性粉は初期状態において空間の底部に位置し、表示パネル面側に移動したとき移動状態が保持されるように構成されており、位置検出用タブレット上に表示タブレットが装着されているとき、表示パネル面にタッチペンの先端部を近接して移動させる操作に応じて、磁性粉が磁石の磁力により表示パネル面に移動して当該移動軌跡に沿って保持され、移動状態が保持された磁性粉によって線、文字、図形等が表示されるとともに、位置検出用タブレットから発信された位置座標検出用電磁波が表示タブレットを介してアンテナによって受信され、移動軌跡に対応する位置座標情報が検出され、電子装置への操作指示情報として入力されるように構成されてなる電子装置に対し、タッチペンの軌跡を残すようにすることができる。
【手続補正１５】
【補正対象書類名】明細書
【補正対象項目名】００４７
【補正方法】削除
【補正の内容】
【手続補正１６】
【補正対象書類名】明細書
【補正対象項目名】００４８
【補正方法】削除
【補正の内容】
【手続補正１７】
【補正対象書類名】明細書
【補正対象項目名】００４９
【補正方法】変更
【補正の内容】
【００４９】
また、本発明のように、タッチペンの移動軌跡に応じたタブレットへの指示情報に基づいて、表示タブレットに描画される図形と実質的に同じ図形をモニタ画面に描画するようにすれば、表示タブレットを見ながら絵を描くことができ、自然な操作で絵を描くことができる。
【手続補正１８】
【補正対象書類名】図面
【補正対象項目名】図４
【補正方法】変更
【補正の内容】
【図４】
1999085375.tif 000001